【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
モバイルディスプレイデジタルインタフェース（ＭＤＤＩ）システムにおいて、クライアントがサポートされる特徴および機能をホストに提供するための方法であって、この方法は、
少なくとも１つのフィールドを、クライアントがサポートされる特徴および機能に関するクライアント機能パケットに追加し、
少なくとも１つのフィールドの各フィールドに、クライアント機能パケット内の少なくとも１つのクライアントについて独特の値を提供し、そして
少なくとも１つのクライアントからホストにクライアント機能パケットを伝送する
ステップを含む方法。
【請求項２】
少なくとも１つのフィールドを追加するステップはクライアントデバイスの識別（ＩＤ）フィールドを追加することを含む請求項１に記載の方法。
【請求項３】
ＩＤフィールドは、製品コード、製造者の名前、連続番号、製造の週、そして製造年からなるグループからの少なくとも１つの要素を含む請求項２に記載の方法。
【請求項４】
少なくとも１つのフィールドを追加するステップはクライアントデバイスのポインティングデバイスフィールドを追加することを含む請求項１に記載の方法。
【請求項５】
ポインティングデバイスフィールドは、ポインティングデバイスの存在に関する値、ポインティングデバイスの形式に関する値、そして少なくとも１つのクライアントを有するポインティングデバイスの通信ステータスの値からなるグループからの少なくとも１つの要素を含む請求項４に記載の方法。
【請求項６】
少なくとも１つのフィールドを追加するステップはクライアントデバイスのキーボードデバイスフィールドを追加することを含む請求項１に記載の方法。
【請求項７】
キーボードデバイスフィールドはキーボードデバイスの存在に関する値、キーボードデバイスの形跡に関する値、そして少なくとも１つのクライアントを有するキーボードデバイスの通信ステータスの値からなるグループからの少なくとも１つの要素を含む請求項５に記載の方法。
【請求項８】
モバイルディスプレイデジタルインタフェース（ＭＤＤＩ）システムにおいて、クライアントがサポートされる特徴および機能をホストに提供するためのシステムであって、このシステムは、
少なくとも１つのフィールドを、クライアントがサポートされる特徴および能力に関するクライアント機能パケットに追加する手段と、
少なくとも１つのフィールドの各フィールドに、クライアント機能パケット内の少なくとも１つのクライアントについて独特の値を提供する手段と、そして
少なくとも１つのクライアントからホストにクライアント機能パケットを伝送する手段と
を含むシステム。
【請求項９】
少なくとも１つのフィールドを追加する手段はクライアントデバイスの識別（ＩＤ）フィールドを含む請求項８に記載のシステム。
【請求項１０】
ＩＤフィールドは、製品コード、製造者の名前、連続番号、製造の週、そして製造年からなるグループからの少なくとも１つの要素を含む請求項９に記載のシステム。
【請求項１１】
少なくとも１つのフィールドを追加する手段はクライアントデバイスのポインティングデバイスフィールドを含む請求項８に記載のシステム。
【請求項１２】
ポインティングデバイスフィールドは、ポインティングデバイスの存在に関する値、ポインティングデバイスの形式に関する値、そして少なくとも１つのクライアントを有するポインティングデバイスの通信ステータスの値からなるグループからの少なくとも１つの要素を含む請求項１１に記載のシステム。
【請求項１３】
少なくとも１つのフィールドを追加する手段はクライアントデバイスのキーボードデバイスフィールドを追加することを含む請求項８に記載のシステム。
【請求項１４】
キーボードデバイスフィールドはキーボードデバイスの存在に関する値、キーボードデバイスの形式に関する値、そして少なくとも１つのクライアントを有するキーボードデバイスの通信ステータスの値からなるグループからの少なくとも１つの要素を含む請求項１３に記載のシステム。
【請求項１５】
コンピュータ読み取り可能媒体を含むコンピュータプログラム製品であって、コンピュータ読み取り可能媒体は、モバイルディスプレイデジタルインタフェース（ＭＤＤＩ）システムにおいてクライアントがサポートされる特徴および機能をホストに提供するようにするコードを含み、このコンピュータコードは、
少なくとも１つのフィールドが、クライアントがサポートされる特徴および能力に関するクライアント機能パケットに追加されるようにするコードと、
少なくとも１つのフィールドの各フィールドに、クライアント機能パケット内の少なくとも１つのクライアントについて独特の値が提供されるようにするコードと、そして
少なくとも１つのクライアントからホストにクライアント機能パケットが伝送されるようにするコードと
を含むコンピュータプログラム製品。
【請求項１６】
少なくとも１つのフィールドが追加されるようにするコードは、クライアントデバイスの識別（ＩＤ）フィールドが追加されるようにするコードを含む請求項１５に記載のコンピュータプログラム製品。
【請求項１７】
ＩＤフィールドは、製品コード、製造者の名前、連続番号、製造の週、そして製造年からなるグループからの少なくとも１つの要素を含む請求項１６に記載のコンピュータプログラム製品。
【請求項１８】
少なくとも１つのフィールドが追加されるようにするコードは、クライアントデバイスのポインティングデバイスフィールドが追加されるようにするコードを含む請求項１５に記載のコンピュータプログラム製品。
【請求項１９】
ポインティングデバイスフィールドは、ポインティングデバイスの存在に関する値、ポインティングデバイスの形式に関する値、そして少なくとも１つのクライアントを有するポインティングデバイスの通信ステータスの値からなるグループからの少なくとも１つの要素を含む請求項１８に記載のコンピュータプログラム製品。
【請求項２０】
少なくとも１つのフィールドが追加されるようにするコードは、クライアントデバイスのキーボードデバイスフィールドが追加されるようにするコード含む請求項１５に記載のコンピュータプログラム製品。
【請求項２１】
キーボードデバイスフィールドは、キーボードデバイスの存在に関する値、キーボードデバイスの形式に関する値、そして少なくとも１つのクライアントを有するキーボードデバイスの通信ステータスの値からなるグループからの少なくとも１つの要素を含む請求項２０に記載のコンピュータプログラム製品。
【請求項２２】
モバイルディスプレイデジタルインタフェース（ＭＤＤＩ）システムにおける、逆方向データサンプリング方法であって、この方法は、
往復遅延測定パケットをホストからクライアントに送信し、
クライアントによりホストへ、往復遅延測定パケットの測定ウインドウの内部にパルスを送信し、
往復遅延測定パケットの測定ウインドウの内部に送信されたパルスを検出することによりＭＤＤＩシステム往復遅延を測定し、
送信されたパルスの位相を決定し、そして
測定された往復遅延に基づき、クライアントにより送信される逆方向データのサンプリングを開始する時間を決定する
ステップを含む方法。
【請求項２３】
逆方向データの逆方向リンクデータビット内のオフセットを決定するステップをさらに含む請求項２２記載の方法。
【請求項２４】
オフセットは決定された位相により決定される請求項２３記載の方法。
【請求項２５】
モバイルディスプレイデジタルインタフェース（ＭＤＤＩ）システムにおける、逆方向データサンプリングシステムであって、このシステムは、
往復遅延測定パケットをホストからクライアントに送信する手段と、
クライアントによりホストへ、往復遅延測定パケットの測定ウインドウの内部にパルスを送信する手段と、
往復遅延測定パケットの測定ウインドウの内部に送信されたパルスを検出することによりＭＤＤＩシステムの往復遅延を測定する手段と、
送信されたパルスの位相を決定する手段と、そして
測定された往復遅延に基づき、クライアントにより送信された逆方向データのサンプリングを開始する時間を決定する手段と
を含むシステム。
【請求項２６】
サンプリングを開始する時間を決定する手段は、オフセットを追加する手段を含む請求項２５記載のシステム。
【請求項２７】
オフセットを追加する手段は位相を決定する手段を含む請求項２６記載のシステム。
【請求項２８】
コンピュータ読み取り可能媒体を含むコンピュータプログラム製品であって、
コンピュータ読み取り可能媒体は、モバイルディスプレイデジタルインタフェース（ＭＤＤＩ）システムにおける、逆方向データサンプリングを生じさせるコードを含み、このコンピュータ読み取り可能媒体は、
往復遅延測定パケットがホストからクライアントに送信されるようにするコードと、
クライアントによりホストへ、往復遅延測定パケットの測定ウインドウの内部にパルスが送信されるようにするコードと、
往復遅延測定パケットの測定ウインドウの内部に送信されたパルスを検出することにより、ＭＤＤＩシステムの往復遅延が測定されるようにするコードと、
送信されたパルスの位相が決定されるようにするコードと、そして
測定された往復遅延に基づき、逆方向データをサンプルするための開始をする時間が決定されるようにするコードと
を含むコンピュータプログラム製品。
【請求項２９】
逆方向データをサンプルするための開始をする時間を生じさせるコードは、オフセットの追加を生じさせるコードを含む請求項２８記載のコンピュータプグラム製品。
【請求項３０】
オフセットの追加を生じさせるコードは、送信されたパルスの位相が決定されるようにするコードを含む請求項２９記載のコンピュータプログラム製品。